(57)【要約】【課題】金属材を用いずに角材を連結して側溝用木製蓋を得る。【解決手段】複数の柱状の角材１〜５それぞれに２箇所の連結用の穴１１、２１・・５１、及び１２、２２・・５２を貫通させて穿ち、これらの穴に、それぞれ木製の棒状材１００及び２００を、一方端の角材１から他方端の角材５に達するように打ち込んで結合連結する。穴は丸穴であり、打ち込む棒状材１００及び２００は断面多角形の角柱であって、丸穴の径φは、柱状材断面の多角形の外接円の径Φよりも小さくする。強固に連結され、ガタ少なく、しかも鋸で切断容易な側溝用木製蓋が得られる。【選択図】        図１
2004278220.tif 000002
【特許請求の範囲】
【請求項１】
複数の角柱状の木材を並べ、互いに結合連結して所定寸法の板状の木製蓋とするものにおいて、それぞれの木材に連結用の穴を、１箇所あるいは複数個所、貫通させて穿ち、この穴に、それぞれ木製の棒状材を、一方端の木材から他方端の木材に達するように打ち込んで結合連結したことを特徴とする側溝用木製蓋。
【請求項２】
木材の連結用の穴は丸穴であり、この穴に打ち込む棒状材は断面多角形の角柱であることを特徴とする請求項１に記載の側溝用木製蓋。
【請求項３】
木材の連結用の穴は丸穴であり、この穴に打ち込む棒状材は断面多角形の角柱であって、丸穴の径は、棒状材断面の多角形の外接円の径よりも小さいことを特徴とする請求項１に記載の側溝用木製蓋。
【発明の詳細な説明】
【０００１】
【発明の属する技術分野】
本発明は、道路側溝の上部開口を閉鎖する蓋に関し、特に材料を木材としたものに関する。
【０００２】
【従来の技術】
従来、Ｕ字状にコンクリート等で形成した道路側溝の上部開口を閉鎖するためのもので、その材料を木材により製作される蓋は、一枚板で形成するとコスト高となったり、反りを生じて安定さを欠いたりする問題があるので、断面長方形の板、あるいは角材等を数個、長手の端面で継いで所望の大きさの板を形成するようにしている。その例を図９、図１０、あるいは図１１に示した。図９の端面図、図１０の上面図において、９１、９２、９３、９４、９５はそれぞれ木製の角材であり、それぞれが側溝の嵌め込み寸法に適合する長さＬに切断されていて、これらを、いわゆるホチキス状の金具９６で隣接するもの同士結合し連結し、さらに図１０に示すように、それぞれの板に貫通する穴を設け、ここに金属製のボルト９７を挿し込み、端部をナット（図示せず）で締め付ける等、金属製の部品で連結している。また、図１１に示したものは、角材９１に対し角材９２を金属製の釘９８で固定し、次に角材９２に対し角材９３を釘９８で固定するという手順を繰り返して連結し所望の大きさに形成している。
【０００３】
【発明が解決しようとする課題】
このような従来の側溝用木製蓋においては、施行現場で切断する必要が生じた場合、金属製のボルト、ホチキス、あるいは釘が使用されているため、普通の木工用鋸では簡単に切断することができない。また、ボルトで連結する場合、板に設けた孔の径と貫通させるボルトの径との間には作業上余裕が必要であるので、ボルトで締め付けてもその後ガタが生じる不都合があるし、ボルト、ホチキスを併用しても経年変化で角材がすこしずつ縮み、継ぎ目にゆるみを生じるおそれもある。本発明は、これらの諸問題を解決した側溝用木製蓋を提供することを目的とする。
【０００４】
【課題を解決するための手段】
この課題を解決するために本発明は、それぞれの木材に連結用の穴を、１箇所あるいは複数箇所、貫通させて穿ち、この穴に、それぞれ木製の棒状材を、一方端の木材から他方端の木材に達するように打ち込んで結合連結するものであり、木材の連結用の穴は丸穴とし、また、この穴に打ち込む棒状材は断面多角形の角柱とし、丸穴の径は、柱状材断面の多角形の外接円の径よりも小さいように構成したものである。これにより、前述した諸問題を解決した側溝用木製蓋が得られる。
【０００５】
【発明の実施の形態】
本発明の請求項１に記載の発明は、複数の角柱状の木材を並べ、互いに結合連結して所定寸法の板状の木製蓋とするものにおいて、それぞれの木材に連結用の穴を、１箇所あるいは複数箇所、貫通させて穿ち、この穴に、それぞれ木製の棒状材を、一方端の木材から他方端の木材に達するように打ち込んで結合連結した側溝用木製蓋としたものであり、所要寸法、形状に切断する際、通常の木工鋸で簡単容易に切断することができるという作用を有する。
【０００６】
請求項２に記載の発明は、前項において、木材の連結用の穴は丸穴であり、この穴に打ち込む棒状材は断面多角形の角柱としたものであり、連結結合状態が確実強固であり、所要寸法、形状に切断する際、通常の木工鋸で簡単容易に切断することができるという作用を有する。
【０００７】
請求項３に記載の発明は、前々項において、木材の連結用の穴は丸穴であり、この穴に打ち込む棒状材は断面多角形の角柱であって、丸穴の径は、柱状材断面の多角形の外接円の径よりも小さいこととしたものであり、連結結合状態が確実強固であり、経年変化で生じるガタもなく、所要寸法、形状に切断する際、通常の木工鋸で簡単容易に切断することができるという作用を有する。
【０００８】
（実施の形態）
本発明の実施の形態は請求項１から３までのものを一括して説明する。図１は上面図、図２は端面図、図３は側面図を示し、図１において、１、２、３、４、５はそれぞれ角材であり、側溝の幅寸法に適合するように長さＬにて切断されている。各角材の一方の端部寄りには穴１１、２１、３１、４１、５１が、また、他方の端部寄りには穴１２、２２、３２、４２、５２がそれぞれ貫通して穿たれ、図１のように平に並べて配置した場合、穴１１、２１、３１、４１、５１は各穴の中心が合致して一方の端面から他方の端面まで貫通するように形成され、穴１２、２２、３２、４２、５２も各穴の中心が合致して一方の端面から他方の端面まで貫通するように形成される。図右端に位置する角材５の長手端面には切り欠き５ａが形成され、側溝から蓋を取り外す際の手掛け部として機能する。なお、各角材は廃材を利用することもできる。
【０００９】
１００及び２００は木材で形成した棒状材である。本実施の形態における棒状材１００及び２００は、長さは、並べて配置した角材１、２、３、４、５にわたる両端間をカバーするに充分な長さを備え、断面正四角形であり、断面寸法はその正四角形の外接円の直径が穴１１、２１、３１、４１、５１の径よりもやや大きく設定してある。従って、図１のように並べて配置した角材１、２、３、４、５の穴１１、２１、３１、４１、５１を貫通するように、棒状材１００を打ち込む際、断面正四角形の各角の部分が穴１１、２１、３１、４１、５１の内径面に食い込むようになる。また、穴１２、２２、３２、４２、５２を貫通するように、棒状材２００を打ち込む際、断面正四角形の各角の部分が穴１２、２２、３２、４２、５２の内径面に食い込むようになる。
【００１０】
図７は角材に穿った穴と棒状材の断面とを説明する断面図であり、角材１を例としている。φは角材１に穿った穴１１の直径であり、Φは棒状材１００の外接円の直径である。本実施の形態では棒状材１００を正四角形としたので外接円の直径Φは四角形の対角線の長さに等しくなる。角材１に穿った穴１１の直径φは、棒状材１００の外接円の直径Φよりもわずかに小さくしてある。他の角材、他の穴の関係もすべて同様である。このようにすることで、図１のように並べて配置した角材１、２、３、４、５の穴１１、２１、３１、４１、５１を貫通するように、棒状材１００及び２００を打ち込む際、断面正四角形の各角が穴１１、２１、３１、４１、５１の内径面に食い込むようになる。また、穴１２、２２、３２、４２、５２を貫通するように、棒状材２００を打ち込む際、断面正四角形の各角が穴１２、２２、３２、４２、５２の内径面に食い込むようになる。言い換えれば、丸穴の径は、柱状材断面の多角形の外接円の径よりも小さいように構成してあるので、打ち込まれた棒状材が穴の内径面を押して広げる力が作用し、角材の連結が強固に行なわれ、遊びやガタない。
【００１１】
図４から図６において寸法の互いに異なる角材を使用したものを説明する。図４は上面図、図５は端面図、図６は側面図を示し、図４において、１０、２０、３０、４０、５０はそれぞれ角材であり、図１から図３において説明したものと異なる点は、各角材の長さはＬであって前記同様であるが、幅において互いに異なるものを使用している点である。即ち、角材１０の幅Ｗ１０、Ｗ２０、Ｗ３０、
Ｗ４０、Ｗ５０、Ｗ６０は互いに寸法が異なり、これらの角材を組み合わせて所定幅Ｗの木製蓋を得ることができる。１００及び２００は棒状材であって、前記したものと同様の穴を各角材に設けて、この棒状材１００及び２００を打ち込み、組み立てる構造は前記同様である。このように、角材の幅が小さいものでも、大きいものでも利用することができるので、木材として、間伐材を利用した編成材を用いることができる。
【００１２】
図８はこのように構成した木製蓋を側溝に設置する状態を説明するものである。８００は側溝であり、Ｌ字状に屈曲した箇所を示している。８０１、８０２、８０３はそれぞれ木製蓋であって、側溝の上部開口に載せて閉鎖する。側溝の上端には木製蓋を嵌合させる段差が形成してあるが、図示、説明を省略する。
【００１３】
木製蓋８０１は単に載せて配置すればよいが、木製蓋８０２と８０３は側溝がＬ字状に屈曲した箇所に配置されるので、突合せ部分Ｐを斜めに切断しなければならない。このような場合、本実施の形態の木製蓋は、木製蓋を構成する複数の角材を、木製の棒状材で連結しているので、木製蓋８０２及び８０３の突合せ部分Ｐの切断は普通の木工用の鋸を用いて簡単に行なうことができ、作業は簡単容易である。また、木製蓋同士の接合面にガタが生じない。
【００１４】
なお、以上の説明では、角材の丸穴に貫通させる棒状材を断面四角形としたが、三角形、あるいは五角形等の多角形であればよい。また、棒状材の断面形状は必ずしも正多角形である必要はなく、角材の丸穴の内径面に対し適度の食い込みを生じるような多角形形状であれば、目的は達成することができる。
【００１５】
また、各角材に使用する木材は、廃材や間伐材を使用した編成材を利用することもできる。
【００１６】
【発明の効果】
以上のように本発明によれば、それぞれの木材に連結用の穴を、１箇所あるいは複数箇所、貫通させて穿ち、この穴に、それぞれ木製の柱状材を、一方端の木材から他方端の木材に達するように打ち込んで結合連結し、木材の連結用の穴は丸穴であり、この穴に打ち込む柱状材は断面多角形の角柱とし、丸穴の径は、柱状材断面の多角形の外接円の径よりも小さいように構成したので、打ち込まれた棒状材が穴の内径面に対しこれを押して広げる力が作用し、角材の連結が強固に行なわれ、遊び、ガタのない側溝用木製蓋となるという有利な効果が得られる。
【００１７】
また、各角材間を木製の棒状材で連結しているので、側溝が屈曲しているような場所でも任意に形状や寸法を木工用の鋸で加工することが容易、簡単であり、現場で即刻使用することが出来るという有利な効果が得られる。
【図面の簡単な説明】
【図１】本発明の木製蓋の上面図である。
【図２】本発明の木製蓋の端面図である。
【図３】本発明の木製蓋の側面図である。
【図４】本発明の木製蓋の上記とは別の例の上面図である。
【図５】本発明の木製蓋の上記とは別の例の端面図である。
【図６】本発明の木製蓋の上記とは別の例の側面図である。
【図７】本発明の木製蓋の部分説明断面図である。
【図８】本発明の木製蓋の使用状態の説明図である。
【図９】従来の木製蓋の端面図である。
【図１０】従来の木製蓋の上面図である。
【図１１】従来の木製蓋の上面図である。
【符号の説明】
１〜５                              角材
１１、２１、３１、４１、５１        丸穴
１２、２２、３２、４２、５２        丸穴
１００                              棒状材
２００                              棒状材
Φ                                  棒状材多角形断面の外接円の直径
φ                                  丸穴の直径
【図１】
2004278220.tif 000003
【図２】
2004278220.tif 000004
【図３】
2004278220.tif 000005
【図４】
2004278220.tif 000006
【図５】
2004278220.tif 000007
【図６】
2004278220.tif 000008
【図７】
2004278220.tif 000009
【図８】
2004278220.tif 000010
【図９】
2004278220.tif 000011
【図１０】
2004278220.tif 000012
【図１１】
2004278220.tif 000013